【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
プレイヤが投入したメダルの枚数がクレジット数として計数され、該クレジット数から希望する賭け数がプレイヤによる操作入力に応じて決定され、前記賭け数とゲームの実行結果に応じて所定数のメダルが払い出されるメダルゲーム装置において、
複数枚のメダルが載置可能に構成されてなる載置面を有する載置部と、投入口を形成する枠の下面と前記載置面とが連続的な面となるように構成されたメダル投入部と、前記投入口を通過したメダルを検出する投入検出手段と、前記投入口から投入された複数枚のメダルを一時的に収容するメダル収容部と、前記投入口を通過したメダルを前記メダル収容部に導く第１メダル通路と、前記投入口を通過したメダルを外部へ排出するメダル排出口と、前記投入口を通過したメダルを前記メダル排出口に導く第２メダル通路と、メダルの経路を前記第１メダル通路又は前記第２メダル通路のいずれかに切り替える切替手段と、前記メダル収容部に存在する複数枚のメダルを繰出部の回転により１枚ずつ分散させる分散手段と、前記分散手段により分散したメダルを検出するメダル検出手段と、前記メダル検出手段により検出されたメダルのうち、一部を貯蔵するメダル貯蔵部と、前記メダル貯蔵部から前記メダルゲームの結果に応じて所定量のメダルを払い出すメダル払出手段と、前記投入検出手段からの検出信号を受けたときに前記分散手段を作動させてメダルの分散処理を開始し、前記メダル検出手段からの検出信号に基づいて計数したクレジット数を表示手段に表示させると共に、プレイヤによる操作入力に応じて前記クレジット数から賭け数を決定し、該賭け数とゲームの実行結果に応じて所定数のメダルを払い出すように制御する制御手段と、を有するメダルゲーム装置であって、
さらに、
前記メダル収容部内のメダルが限界量に達したことを検出する限界量検出手段を備え、
前記制御手段が、
前記限界量検出手段からの検出信号を受けたとき、前記分散手段によるメダルの分散処理を継続し、且つ前記切替手段を作動させて、前記投入口を通過したメダルを前記第２メダル通路に導き、前記メダル排出口へ排出するように制御すること
を特徴とするメダルゲーム装置。
【請求項２】
前記メダル収容部内にメダルを含む物体が残存するか否かを検出する物体検出手段と、前記メダル収容部内に残存する物体を外部へ排出する排出手段とを更に有し、
前記制御手段が、
前記投入検出手段からの検出信号に基づいて、前記分散手段を作動させ、前記メダル検出手段から検出信号を受信後、予め定めた時間が経過しても次のメダル検出信号を受信せず、前記物体検出手段からの検出信号を受信したとき、前記分散手段の繰出部の回転を逆に回転させ、且つ、前記切替手段を作動させて、前記投入口を通過したメダルを前記メダル排出口へ排出すると共に、前記排出手段を作動させて前記メダル収容部内に残存する物体を外部へ排出するように制御すること
を特徴とする請求項１に記載のメダルゲーム装置。
【請求項３】
プレイヤに対し、メダルを投入しないように報知する報知手段を更に有することを特徴とする請求項２に記載のメダルゲーム装置。
【手続補正２】
【補正対象書類名】明細書
【補正対象項目名】０００７
【補正方法】変更
【補正の内容】
【０００７】
本発明は、プレイヤが投入したメダルの枚数がクレジット数として計数され、該クレジット数から希望する賭け数がプレイヤによる操作入力に応じて決定され、前記賭け数とゲームの実行結果に応じて所定数のメダルが払い出されるメダルゲーム装置に関するものであり、本発明の上記目的は、複数枚のメダルが載置可能に構成されてなる載置面を有する載置部と、投入口を形成する枠の下面と前記載置面とが連続的な面となるように構成されたメダル投入部と、前記投入口を通過したメダルを検出する投入検出手段と、前記投入口から投入された複数枚のメダルを一時的に収容するメダル収容部と、前記投入口を通過したメダルを前記メダル収容部に導く第１メダル通路と、前記投入口を通過したメダルを外部へ排出するメダル排出口と、前記投入口を通過したメダルを前記メダル排出口に導く第２メダル通路と、メダルの経路を前記第１メダル通路又は前記第２メダル通路のいずれかに切り替える切替手段と、前記メダル収容部に存在する複数枚のメダルを繰出部の回転により１枚ずつ分散させる分散手段と、前記分散手段により分散したメダルを検出するメダル検出手段と、前記メダル検出手段により検出されたメダルのうち、一部を貯蔵するメダル貯蔵部と、前記メダル貯蔵部から前記メダルゲームの結果に応じて所定量のメダルを払い出すメダル払出手段と、前記投入検出手段からの検出信号を受けたときに前記分散手段を作動させてメダルの分散処理を開始し、前記メダル検出手段からの検出信号に基づいて計数したクレジット数を表示手段に表示させると共に、プレイヤによる操作入力に応じて前記クレジット数から賭け数を決定し、該賭け数とゲームの実行結果に応じて所定数のメダルを払い出すように制御する制御手段と、を有するメダルゲーム装置であって、さらに、前記メダル収容部内のメダルが限界量に達したことを検出する限界量検出手段を備え、前記制御手段が、前記限界量検出手段からの検出信号を受けたとき、前記分散手段によるメダルの分散処理を継続し、且つ前記切替手段を作動させて、前記投入口を通過したメダルを前記第２メダル通路に導き、前記メダル排出口へ排出するように制御することによって達成される。
【手続補正３】
【補正対象書類名】明細書
【補正対象項目名】０００８
【補正方法】変更
【補正の内容】
【０００８】
さらに、本発明の上記目的は、前記メダル収容部内にメダルを含む物体が残存するか否かを検出する物体検出手段と、前記メダル収容部内に残存する物体を外部へ排出する排出手段とを更に有し、前記制御手段が、前記投入検出手段からの検出信号に基づいて、前記分散手段を作動させ、前記メダル検出手段から検出信号を受信後、予め定めた時間が経過しても次のメダル検出信号を受信せず、前記物体検出手段からの検出信号を受信したとき、前記分散手段の繰出部の回転を逆に回転させ、且つ、前記切替手段を作動させて、前記投入口を通過したメダルを前記メダル排出口へ排出すると共に、前記排出手段を作動させて前記メダル収容部内に残存する物体を外部へ排出するように制御すること、プレイヤに対し、メダルを投入しないように報知する報知手段を更に有すること、によってそれぞれ一層効果的に達成される。
【手続補正４】
【補正対象書類名】明細書
【補正対象項目名】０００９
【補正方法】変更
【補正の内容】
【０００９】
請求項１に係る発明によれば、プレイヤが、複数のメダルを投入口から同時に投入することが可能となる。そのため、小さな投入口に１枚ずつ投入する操作の煩わしさが無くなり、また、所望の枚数を短時間で投入することが可能となる。さらに、ゲーム画面を見ながらでも投入することが可能となり、ゲームに対するプレイヤの集中力低下を緩和させることができる。さらに、プレイヤがメダルを多量に入れすぎた場合でも、装置を停止させることなくメダルの処理を継続することができる。請求項２に係る発明によれば、ゴミなどの異物が投入された場合でも、自動的に排除することが可能となる。請求項３に係る発明によれば、メダルの入れ過ぎなどの場合にプレイヤに報知されるので、処理されないメダルをプレイヤが無駄に入れなくて済むようになる。